【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
太陽電池モジュールの端部に沿って配置される桟を備え、
前記桟は、前記太陽電池モジュールの端部が載せられる第１台部と、前記第１台部に対して立設された立設部と、前記立設部に設けられて、前記太陽電池モジュールの端部に係合する第１鈎部とを有し、
前記第１台部上面の前記立設部から離間した部位には、前記桟の長手方向に沿って延在する第１凹所が形成されたことを特徴とする太陽電池モジュールの設置構造。
【請求項２】
請求項１に記載の太陽電池モジュールの設置構造であって、
前記桟は、前記立設部に対して前記第１台部とは反対側に設けられ、太陽電池モジュールの端部が載せられる第２台部と、前記立設部の前記第１鈎部とは反対側に設けられて、前記太陽電池モジュールの端部に係合する第２鈎部とを有し、
前記第２台部上面の前記立設部から離間した部位には、前記桟の長手方向に沿って延在する第２凹所が形成されたことを特徴とする太陽電池モジュールの設置構造。
【請求項３】
並設された複数の太陽電池モジュールを連結支持する太陽電池モジュールの設置構造であって、
前記各太陽電池モジュールの端部に沿って配置される桟を備え、
前記桟は、前記各太陽電池モジュールの端部が共に載せられる第１台部と、前記第１台部に対して立設された立設部と、前記立設部に設けられて、前記各太陽電池モジュールの端部に係合する第１鈎部と、前記第１台部上面の前記立設部から離間した部位に形成されて、前記桟の長手方向に沿って延在する第１凹所とを有し、
前記第１鈎部と前記第１台部との間に前記各太陽電池モジュールの端部を保持したことを特徴とする太陽電池モジュールの設置構造。
【請求項４】
請求項３に記載の太陽電池モジュールの設置構造であって、
前記桟は、前記立設部に対して前記第１台部とは反対側に設けられ、並設された複数の太陽電池モジュールの端部が載せられる第２台部と、前記立設部の前記第１鈎部とは反対側に設けられて、前記各太陽電池モジュールの端部に係合する第２鈎部とを有し、
前記第２鈎部と前記第２台部との間に前記各太陽電池モジュールの端部を保持したことを特徴とする太陽電池モジュールの設置構造。
【請求項５】
請求項４に記載の太陽電池モジュールの設置構造であって、
前記第２台部上面の前記立設部から離間した部位には、前記桟の長手方向に沿って延在する第２凹所が形成されたことを特徴とする太陽電池モジュールの設置構造。
【請求項６】
請求項１〜５のいずれか１つに記載の太陽電池モジュールの設置構造を用いて、太陽電池モジュールを固定する太陽電池モジュールの設置方法であって、
前記第１凹所に前記太陽電池モジュールの端部を配し、
前記桟の設置面に対して該桟を傾斜させて、前記第１鈎部を前記太陽電池モジュールの端部に接近させ、
傾斜した前記桟を起こし前記設置面に安定載置して、前記太陽電池モジュールの端部を前記第１凹所から前記立設部へと前記第１台部上でスライドさせ、前記第１鈎部に前記太陽電池モジュールの端部を係合させて、前記第１鈎部と前記第１台部との間に前記太陽電池モジュールの端部を保持することを特徴とする太陽電池モジュールの設置方法。
【請求項７】
太陽電池モジュールの設置に用いられる太陽電池モジュール設置用桟であって、
前記桟は、前記桟の長手方向に延在する第１台部と、前記第１台部に対して立設された立設部と、前記立設部に設けられた第１鈎部とを有し、
前記第１台部上面の前記立設部から離間した部位には、前記桟の長手方向に沿って延在する第１凹所が形成されたことを特徴とする太陽電池モジュール設置用桟。
【請求項８】
請求項７に記載の太陽電池モジュール設置用桟であって、
前記桟は、前記立設部に対して前記第１台部とは反対側に設けられ、前記桟の長手方向に延在する第２台部と、前記立設部の前記第１鈎部とは反対側に設けられた第２鈎部とを有し、
前記第２台部上面の前記立設部から離間した部位には、前記桟の長手方向に沿って延在する第２凹所が形成されたことを特徴とする太陽電池モジュール設置用桟。
【請求項９】
請求項１〜５のいずれか１つに記載の太陽電池モジュールの設置構造を用いて、複数の太陽電池モジュールを設置した太陽光発電システム。
【手続補正２】
【補正対象書類名】明細書
【補正対象項目名】０００７
【補正方法】変更
【補正の内容】
【０００７】
上記課題を解決するために、本発明の太陽電池モジュールの設置構造は、太陽電池モジュールの端部に沿って配置される桟を備え、前記桟は、前記太陽電池モジュールの端部が載せられる第１台部と、前記第１台部に対して立設された立設部と、前記立設部に設けられて、前記太陽電池モジュールの端部に係合する第１鈎部とを有し、前記第１台部上面の前記立設部から離間した部位には、前記桟の長手方向に沿って延在する第１凹所が形成されている。
【手続補正３】
【補正対象書類名】明細書
【補正対象項目名】００１５
【補正方法】変更
【補正の内容】
【００１５】
また、本発明の太陽電池モジュールの設置構造においては、前記桟は、前記立設部に対して前記第１台部とは反対側に設けられ、太陽電池モジュールの端部が載せられる第２台部と、前記立設部の前記第１鈎部とは反対側に設けられて、前記太陽電池モジュールの端部に係合する第２鈎部とを有し、前記第２台部上面の前記立設部から離間した部位には、前記桟の長手方向に沿って延在する第２凹所が形成されている。
【手続補正４】
【補正対象書類名】明細書
【補正対象項目名】００１７
【補正方法】変更
【補正の内容】
【００１７】
次に、本発明の太陽電池モジュールの設置構造は、並設された複数の太陽電池モジュールを連結支持する太陽電池モジュールの設置構造であって、前記各太陽電池モジュールの端部に沿って配置される桟を備え、前記桟は、前記各太陽電池モジュールの端部が共に載せられる第１台部と、前記第１台部に対して立設された立設部と、前記立設部に設けられて、前記各太陽電池モジュールの端部に係合する第１鈎部とを有し、前記第１鈎部と前記第１台部との間に前記各太陽電池モジュールの端部を保持している。
【手続補正５】
【補正対象書類名】明細書
【補正対象項目名】００２１
【補正方法】変更
【補正の内容】
【００２１】
更に、本発明の太陽電池モジュールの設置構造においては、前記桟は、前記立設部に対して前記第１台部とは反対側に設けられ、並設された複数の太陽電池モジュールの端部が載せられる第２台部と、前記立設部の前記第１鈎部とは反対側に設けられて、前記各太陽電池モジュールの端部に係合する第２鈎部とを有し、前記第２鈎部と前記第２台部との間に前記各太陽電池モジュールの端部を保持している。
【手続補正６】
【補正対象書類名】明細書
【補正対象項目名】００２８
【補正方法】変更
【補正の内容】
【００２８】
次に、本発明の太陽電池モジュール設置用桟は、太陽電池モジュールの設置に用いられる太陽電池モジュール設置用桟であって、前記桟は、前記桟の長手方向に延在する第１台部と、前記第１台部に対して立設された立設部と、前記立設部に設けられた第１鈎部とを有し、前記第１台部上面の前記立設部から離間した部位には、前記桟の長手方向に沿って延在する第１凹所が形成されている。
【手続補正７】
【補正対象書類名】明細書
【補正対象項目名】００２９
【補正方法】変更
【補正の内容】
【００２９】
また、本発明の太陽電池モジュール設置用桟においては、前記桟は、前記立設部に対して前記第１台部とは反対側に設けられ、前記桟の長手方向に延在する第２台部と、前記立設部の前記第１鈎部とは反対側に設けられた第２鈎部とを有し、前記第２台部上面の前記立設部から離間した部位には、前記桟の長手方向に沿って延在する第２凹所が形成されている。
【手続補正８】
【補正対象書類名】明細書
【補正対象項目名】００３３
【補正方法】変更
【補正の内容】
【００３３】
本発明によれば、桟のみにより太陽電池モジュールの端部を固定することができ、太陽電池モジュールの端部を固定するための固定金具を桟上に別途設ける必要がなく、部品点数が少なく、組立て工数も少なくなる。